(57)【要約】【課題】集光レンズと接着剤との接着面積を大きくして接着できる光ピックアップ装置を提供する。【解決手段】光源からの光を光記録媒体に集光する集光レンズ１６と、集光レンズ１６を支持するレンズホルダ１５とを含む光ピックアップ装置であって、集光レンズ１６の半径方向外周部１９には、周方向に等間隔をあけて配置され、光記録媒体に臨んで開放する複数のレンズ側凹所２０が形成され、集光レンズ１６のレンズ側凹所２０に臨む部分とレンズホルダ１５とが接着剤２１によって接着されることを特徴とする。【選択図】      図３
2004342215.tif 000002
【特許請求の範囲】
【請求項１】
光源からの光を照射対象に集光する集光レンズと、集光レンズを支持するレンズホルダとを含む光ピックアップ装置であって、
集光レンズの半径方向外周部には、照射対象に臨んで開放するレンズ側凹所が形成され、
集光レンズのレンズ側凹所に臨む部分とレンズホルダとが接着剤によって接着されることを特徴とする光ピックアップ装置。
【請求項２】
光源からの光を照射対象に集光する集光レンズと、集光レンズを支持するレンズホルダとを含む光ピックアップ装置であって、
集光レンズの照射対象に臨む半径方向外周部には、レンズホルダに臨んで開放するレンズ側凹所が形成され、
レンズホルダには、レンズ側凹所に臨んで開放するホルダ側凹所が形成され、
集光レンズのレンズ側凹所に臨む部分とレンズホルダのホルダ側凹所に臨む部分とが接着剤によって接着されることを特徴とする光ピックアップ装置。
【請求項３】
集光レンズには、接着剤が集光レンズの照射対象に臨む表面よりも照射対象側に配置されることを規制する規制部が設けられることを特徴とする請求項２記載の光ピックアップ装置。
【請求項４】
集光レンズのレンズ側凹所は３個以上形成され、周方向に等間隔をあけて配置されることを特徴とする請求項１〜３のいずれかに記載の光ピックアップ装置。
【請求項５】
レンズ側凹所のいずれか１つは、他のレンズ側凹所とは異なる形状に形成されることを特徴とする請求項４記載の光ピックアップ装置。
【請求項６】
レンズホルダのレンズ側凹所に臨む部分に着脱自在に、照射対象に向かう方向に突出する案内部材が装着され、
前記案内部材によって案内されて、集光レンズの照射対象に臨む表面よりも照射対象側に配置されるレンズ保護部材がレンズホルダに装着されることを特徴とする請求項１〜５のいずれかに記載の光ピックアップ装置。
【請求項７】
光源からの光を照射対象に集光する集光レンズと、集光レンズを支持するレンズホルダとを含む光ピックアップ装置であって、
集光レンズの半径方向外周部には、照射対象に臨んで開口するとともにレンズホルダに臨んで開口する貫通孔が形成され、
集光レンズの貫通孔が形成される貫通孔形成部とレンズホルダとが接着剤によって接着されることを特徴とする光ピックアップ装置。
【請求項８】
前記貫通孔は、レンズホルダに臨む部分が残余の部分よりも拡径していることを特徴とする請求項７記載の光ピックアップ装置。
【請求項９】
レンズホルダには、集光レンズを半径方向外方側から全周にわたって包囲するガイド部が設けられることを特徴とする請求項１〜９のいずれかに記載の光ピックアップ装置。
【請求項１０】
レンズ保護部材は、円環状に形成され、ガイド部に装着されることを特徴とする請求項９記載の光ピックアップ装置。
【請求項１１】
集光レンズには、接着剤が集光レンズの半径方向内方に向かって流動することを規制するレンズ側規制部が設けられることを特徴とする請求項１〜１０のいずれかに記載の光ピックアップ装置。
【請求項１２】
請求項１〜１１のいずれかに記載の光ピックアップ装置を搭載することを特徴とする電子機器。
【発明の詳細な説明】
【０００１】
【発明の属する技術分野】
本発明は、光記録媒体に対する情報の読出し、書込みおよび消去を行うために用いられる光ピックアップ装置に関する。
【０００２】
【従来の技術】
図１２は、従来技術である光ピックアップ装置に搭載される集光レンズ１およびレンズホルダ２を示す平面図である。図１３は、図１２の切断面線Ｓ１３−Ｓ１３から見た断面図である。光ピックアップ装置（全体は図示せず）は、コンパクトディスク（略称：ＣＤ）およびデジタル多機能ディスク（略称：ＤＶＤ）などの光記録媒体に対して、情報の読出し、書込みおよび消去を行う光記録媒体記録再生装置に搭載される。光ピックアップ装置において、光記録媒体に光源（図示せず）からの光を集光するための集光レンズ１を、駆動機構（図示せず）に連結されるレンズホルダ２に取り付けるとき、図１２に示すように、集光レンズ１の半径方向外周部１ａとレンズホルダ２とを接着剤３によって、集光レンズ１の軸線に垂直な一方向であるｙ方向両端部の２箇所で接着する（たとえば特許文献１参照）。
【０００３】
図１４は、他の従来技術である光ピックアップ装置に搭載されるレンズ１Ａおよびレンズホルダ２Ａを示す平面図である。この光ピックアップ装置（全体は図示せず）では、集光レンズ１Ａをレンズホルダ２Ａに接着するための場所を確保するために、集光レンズ１Ａの位置決めをするためのガイド部４が、集光レンズ１Ａの半径方向外方であって、集光レンズ１Ａの軸線に垂直な一方向であるｘ方向両側に２個設けられる。
【０００４】
【特許文献１】
特開２００１−２２８３８７号公報
【０００５】
【発明が解決しようとする課題】
光ピックアップ装置は、最近需要が高まっている薄型ノートパソコンに内蔵可能にするために、ＣＤおよびＤＶＤの両方に対応する２種類のレーザ光源を有する構成から、２波長レーザを用いて１つのレーザ光源となるような構成にして、小形化している。このため光ピックアップ装置への集光レンズなどの光学部材を装着するときに、接着剤を塗布するための箇所を設けることに制限のなかったハウジングおよびレンズホルダに対しても小形化が要求されている。
【０００６】
前述の図１２および図１３に示す従来技術では、集光レンズ１の半径方向外周部１ａとレンズホルダ２とが接着剤３によって、ｙ方向両端部の２箇所で接着されるので、集光レンズ１には、前記ｙ方向に引張応力が発生して、集光レンズ１が合成樹脂から成る場合には、その形状が軸線とｙ方向とに垂直なｘ方向に歪んでしまう危険性がある。また集光レンズ１とレンズホルダ３とは、２箇所でしか接着されないので、接着剤による接着面積を大きくすることが困難である。
【０００７】
また前述の図１４に示す他の従来技術では、集光レンズ１Ａの半径方向外方であって、ｘ方向両側に２個のガイド部４が設けられる。このときｘ方向のガタの量をＴｘ、集光レンズ１Ａの軸線と前記ｘ方向とに垂直な方向であるｙ方向のガタの量をＴｙとすると、ｙ方向のガタの量Ｔｙは、ｘ方向のガタの量Ｔｘよりも大きくなってしまう。これによって集光レンズ１Ａの軸線の位置が、所望の位置からずれてしまう危険性が高い。集光レンズ１Ａの有効径が大きい場合は、このようなずれの影響は小さく無視することができるけれども、集光レンズ１Ａの有効径が小さい場合には、このようなずれの影響が大きく無視することができない。
【０００８】
したがって本発明の目的は、集光レンズと接着剤との接着面積を大きくし、集光レンズをレンズホルダに対して所定の位置からのずれを可及的に小さくして接着できる光ピックアップ装置、および前記光ピックアップ装置を搭載する電子機器を提供することである。
【０００９】
【課題を解決するための手段】
本発明は、光源からの光を照射対象に集光する集光レンズと、集光レンズを支持するレンズホルダとを含む光ピックアップ装置であって、
集光レンズの半径方向外周部には、照射対象に臨んで開放するレンズ側凹所が形成され、
集光レンズのレンズ側凹所に臨む部分とレンズホルダとが接着剤によって接着されることを特徴とする光ピックアップ装置である。
【００１０】
本発明に従えば、集光レンズの半径方向外周部には、照射対象に臨んで開放するレンズ側凹所が形成され、集光レンズのレンズ側凹所に臨む部分とレンズホルダとが接着剤によって接着されるので、レンズ側凹所が形成されない場合に比べて、集光レンズと接着剤との接触面積を大きくすることができる。これによって集光レンズをレンズホルダに安定して支持させることができる。
【００１１】
また本発明は、光源からの光を照射対象に集光する集光レンズと、集光レンズを支持するレンズホルダとを含む光ピックアップ装置であって、
集光レンズの照射対象に臨む半径方向外周部には、レンズホルダに臨んで開放するレンズ側凹所が形成され、
レンズホルダには、レンズ側凹所に臨んで開放するホルダ側凹所が形成され、集光レンズのレンズ側凹所に臨む部分とレンズホルダのホルダ側凹所に臨む部分とが接着剤によって接着されることを特徴とする光ピックアップ装置である。
【００１２】
本発明に従えば、集光レンズの照射対象に臨む半径方向外周部には、レンズホルダに臨んで開放するレンズ側凹所が形成され、レンズホルダには、レンズ側凹所に臨んで開放するホルダ側凹所が形成され、集光レンズのレンズ側凹所に臨む部分とレンズホルダのホルダ側凹所に臨む部分とが接着剤によって接着されるので、レンズ側凹所およびホルダ側凹所が形成されない場合に比べて、集光レンズと接着剤との接触面積を大きくすることができる。これによって集光レンズをレンズホルダに安定して支持させることができる。
【００１３】
また本発明は、集光レンズには、接着剤が集光レンズの照射対象に臨む表面よりも照射対象側に配置されることを規制する規制部が設けられることを特徴とする。
【００１４】
本発明に従えば、集光レンズには、接着剤が集光レンズの照射対象に臨む表面よりも照射対象側に配置されることを規制する規制部が設けられるので、接着剤が集光レンズの照射対象に臨む表面よりも照射対象側に盛り上がることを防止することができる。これによって接着剤が集光レンズの照射対象に臨む表面よりも照射対象側に盛り上がって、接着剤が照射対象に接触することを確実に防止することができる。
【００１５】
また本発明は、集光レンズのレンズ側凹所は３個以上形成され、周方向に等間隔をあけて配置されることを特徴とする。
【００１６】
本発明に従えば、集光レンズのレンズ側凹所は３個以上形成され、周方向に等間隔をあけて配置されるので、集光レンズがレンズホルダに接着されている状態では、集光レンズに発生する半径方向の応力を、全周にわたって均等に分布させることができる。これによって集光レンズの形状が歪むことを可及的に防止することができる。
【００１７】
また本発明は、レンズ側凹所のいずれか１つは、他のレンズ側凹所とは異なる形状に形成されることを特徴とする。
【００１８】
本発明に従えば、レンズ側凹所のいずれか１つは、他のレンズ側凹所とは異なる形状に形成されるので、集光レンズをレンズホルダに接着するときに、この異なる形状に形成されるレンズ側凹所を目印にして容易に位置決めすることができる。
【００１９】
また本発明は、レンズホルダのレンズ側凹所に臨む部分に着脱自在に、照射対象に向かう方向に突出する案内部材が装着され、
前記案内部材によって案内されて、集光レンズの照射対象に臨む表面よりも照射対象側に配置されるレンズ保護部材がレンズホルダに装着されることを特徴とする。
【００２０】
本発明に従えば、レンズ保護部材をレンズホルダに装着するときには、レンズホルダのレンズ側凹所に臨む部分に照射対象に向かう方向に突出するように案内部材を装着し、前記案内部材によってレンズ保護部材を案内して、集光レンズの照射対象に臨む表面よりも照射対象側に配置する。このようにレンズ保護部材をレンズホルダに容易に装着することができる。またこのようなレンズ保護部材によって、集光レンズが照射対象に当接することを防止することができる。
【００２１】
また本発明は、光源からの光を照射対象に集光する集光レンズと、集光レンズを支持するレンズホルダとを含む光ピックアップ装置であって、
集光レンズの半径方向外周部には、照射対象に臨んで開口するとともにレンズホルダに臨んで開口する貫通孔が形成され、
集光レンズの貫通孔が形成される貫通孔形成部とレンズホルダとが接着剤によって接着されることを特徴とする光ピックアップ装置である。
【００２２】
本発明に従えば、集光レンズの半径方向外周部には、照射対象に臨んで開口するとともにレンズホルダに臨んで開口する貫通孔が形成され、集光レンズの貫通孔が形成される貫通孔形成部とレンズホルダとが接着剤によって接着されるので、貫通孔が形成されない場合に比べて、集光レンズと接着剤との接触面積を大きくすることができる。これによって集光レンズをレンズホルダに安定して支持させることができる。
【００２３】
また本発明は、前記貫通孔は、レンズホルダに臨む部分が残余の部分よりも拡径していることを特徴とする。
【００２４】
本発明に従えば、前記貫通孔は、レンズホルダに臨む部分が残余の部分よりも拡径しているので、レンズホルダと貫通孔形成部との接着面積を大きくすることができる。これによって集光レンズをレンズホルダにさらに安定して支持させることができる。
【００２５】
また本発明は、レンズホルダには、集光レンズを半径方向外方側から全周にわたって包囲するガイド部が設けられることを特徴とする。
【００２６】
本発明に従えば、レンズホルダには、集光レンズを半径方向外方側から全周にわたって包囲するガイド部が設けられるので、ガイド部が半径方向一方向にだけ設けられる場合に比べて、レンズホルダに対する集光レンズの位置決めを可及的に確実に行うことができる。
【００２７】
また本発明は、レンズ保護部材は、円環状に形成され、ガイド部に装着されることを特徴とする。
【００２８】
本発明に従えば、レンズ保護部材は、円環状に形成され、ガイド部に装着されるので、集光レンズが照射対象に当接することを可及的に確実に防止することができる。
【００２９】
また本発明は、集光レンズには、接着剤が集光レンズの半径方向内方に向かって流動することを規制するレンズ側規制部が設けられることを特徴とする。
【００３０】
本発明に従えば、集光レンズには、接着剤が集光レンズの半径方向内方に向かって流動することを規制するレンズ側規制部が設けられるので、集光レンズの半径方向内方の光が透過する部分に接着剤が流動して、光が透過できなくなることを可及的に防止することができる。
【００３１】
また本発明は、前述の光ピックアップ装置を搭載することを特徴とする電子機器である。
【００３２】
本発明に従えば、電子機器は、前述の作用を達成する光ピックアップ装置を搭載することができる。
【００３３】
【発明の実施の形態】
図１は、本発明の第１の実施形態の光ピックアップ装置１０を模式的に示す断面図である。光ピックアップ装置１０は、コンパクトディスク（Ｃｏｍｐａｃｔ  Ｄｉｓｃ；略称：ＣＤ）およびデジタル多機能ディスク（Ｄｉｇｉｔａｌ  Ｖｅｒｓａｔｉｌｅ  Ｄｉｓｃ；略称：ＤＶＤ）などの光記録媒体に対して、情報の読出し、書込みおよび消去を行う電子機器である光記録媒体記録再生装置に搭載される。光ピックアップ装置１０は、受発光部１１、ダイクロイックプリズム１２、コリメートレンズ１３、立上ミラー１４、レンズホルダ１５、集光レンズ１６および駆動機構１７を含んで構成される。
【００３４】
受発光部１１は、ＣＤおよびＤＶＤに対する情報の記録および読出しをするための２種類の波長のレーザ光を出射する発光素子と、入射した光を光電変換する受光素子とを備える。ダイクロイックプリズム１２は、受発光部１１からの光をコリメートレンズ１３に導くとともに、コリメートレンズ１３からの光を受発光部１１に導く。コリメートレンズ１３は、ダイクロイックプリズム１２によって導かれた受発光部１１からの光を平行光に変換する。立上ミラー１４は、コリメートレンズ１３からの光を反射して、集光レンズ１６に導く。レンズホルダ１５は、駆動機構１７に連結され、集光レンズ１６を支持する。集光レンズ１６は、立上ミラー１４からの光を、照射対象である光記録媒体１８に集光する。駆動機構１７は、集光レンズ１６を支持するレンズホルダ１５を変位駆動する。
【００３５】
受発光部１１から出射された光は、ダイクロイックプリズム１２によってコリメートレンズ１３に導かれる。ダイクロイックプリズム１２からコリメートレンズ１３に入射した光は、平行光に変換されて、立上ミラー１４に導かれる。コリメートレンズ１３から立上ミラー１４に入射した光は、集光レンズ１６に向けて反射される。立上ミラー１４から集光レンズ１６に入射した光は、集光レンズ１６によって光記録媒体１８の情報記録面に集光されて照射される。
【００３６】
光記録媒体１８の情報記録面で反射した光は、集光レンズ１６に入射する。光記録媒体１８から集光レンズ１６に入射した光は、平行光に変換されて、立上ミラー１４に導かれる。集光レンズ１６から立上ミラー１４に入射した光は、コリメートレンズ１３に向けて反射される。立上ミラー１４からコリメートレンズ１３に入射した光は、ダイクロイックプリズム１２を介して、受発光部１１に入射する。受発光部１１に光が入射すると、光電変換されて電気信号が生成される。この電気信号は、情報の読出し、記録および消去ならびにサーボ信号として利用される。
【００３７】
図２は、レンズホルダ１５および集光レンズ１６を拡大して示す平面図である。図３は、図２の切断面線Ｓ３−Ｓ３から見た断面図である。図１も併せて参照する。集光レンズ１６の半径方向外周部１９には、光記録媒体１８に臨んで開放するレンズ側凹所２０が、３個以上、本実施の形態では８個形成され、周方向に等間隔をあけて配置される。集光レンズ１６のレンズ側凹所２０に臨む部分とレンズホルダ１５とが接着剤２１によって接着される。
【００３８】
レンズ側凹所２０は、詳細に述べると、光記録媒体１８に臨んで開放するとともに、半径方向外方に開放するように形成される。レンズ側凹所２０は、さらに詳細に述べると、半径方向内方に没入し、集光レンズ１６のレンズ側凹所２０に半径方向内方から臨む表面が、集光レンズ１６の軸線Ｌ１６に平行な軸線を有する略円筒内周面状に形成される。集光レンズ１６のレンズ側凹所２０に臨む表面が前述のように滑らかに形成されるので、この箇所における応力集中による集光レンズ１６の破損を可及的に防止することができる。
【００３９】
本実施の形態の光ピックアップ装置１０によれば、集光レンズ１６の半径方向外周部１９には、光記録媒体１８に臨んで開放するレンズ側凹所２０が形成され、集光レンズ１６のレンズ側凹所２０に臨む部分とレンズホルダ１５とが接着剤２１によって接着されるので、図１２および図１３に示すような従来技術におけるレンズ側凹所２０が形成されない場合に比べて、集光レンズ１６と接着剤２１との接触面積を大きくすることができる。これによって集光レンズ１６をレンズホルダ１５に安定して支持させることができる。このため接着剤２１の経年変化および温度変化に対する接着強度も増加させることが可能である。
【００４０】
また本実施の形態の光ピックアップ装置１０によれば、集光レンズ１６のレンズ側凹所２０は３個以上形成され、周方向に等間隔をあけて配置されるので、集光レンズ１６がレンズホルダ１５に接着されている状態では、集光レンズ１６に発生する半径方向の応力を、全周にわたって均等に分布させることができる。これによって図１２に示す従来技術のように、集光レンズ１６の形状が歪むことを可及的に防止することができる。
【００４１】
図４は、本発明の第２の実施形態の光ピックアップ装置１０Ａのレンズホルダ１５Ａおよび集光レンズ１６Ａを拡大して示す平面図である。図５は、図４の切断面線Ｓ５−Ｓ５から見た断面図である。図１も併せて参照する。本実施の形態の光ピックアップ装置１０Ａは、前述の第１の実施形態の光ピックアップ装置１０と大略的に同様の構成であるので、異なる構成について以下に説明する。
【００４２】
集光レンズ１６Ａの半径方向外周部１９Ａには、光記録媒体１８に臨んで開放するレンズ側凹所２０Ａが、３個以上、本実施の形態では８個形成され、周方向に等間隔をあけて配置される。集光レンズ１６Ａのレンズ側凹所２０Ａに臨む部分とレンズホルダ１５Ａとが接着剤２１によって接着される。レンズ側凹所２０Ａは、詳細に述べると、レンズホルダ１５Ａと光記録媒体１８とに臨んで開放するとともに、半径方向外方に開放するように形成される。
【００４３】
８個のレンズ側凹所２０Ａのうちの１つのレンズ側凹所２０ａは、半径方向内方に没入し、集光レンズ１６Ａのレンズ側凹所２０Ａに半径方向内方から臨む表面が複数の、本実施の形態では隣り合って連なる３つの平面から成る。残余のレンズ側凹所２０Ａは、半径方向内方に没入し、集光レンズ１６Ａのレンズ側凹所２０Ａに半径方向内方から臨む表面が、集光レンズ１６Ａの軸線Ｌ１６Ａに平行な軸線を有する略円筒内周面状に形成される。このようにレンズ側凹所２０Ａのいずれか１つであるレンズ側凹所２０ａは、他のレンズ側凹所２０Ａとは異なる形状に形成される。
【００４４】
光ピックアップ装置１０Ａは、ガイド部２２およびレンズプロテクタ２３をさらに含んで構成される。ガイド部２２は、レンズホルダ１５Ａから光記録媒体１８側に突出してレンズホルダ１５Ａに設けられ、集光レンズ１６Ａを半径方向外方側から全周にわたって包囲する。レンズ保護部材であるレンズプロテクタ２３は、円環状に形成され、集光レンズ１６Ａの光記録媒体１８に臨む表面２４よりも光記録媒体１８側に配置され、詳細には、ガイド部２２に装着される。
【００４５】
レンズホルダ１５Ａのレンズ側凹所２０Ａ、詳細には、前述の他のレンズ側凹所２０Ａとは異なるレンズ側凹所２０ａに臨む部分に着脱自在に、光記録媒体１８に向かう方向に突出する案内部材である治具２５が装着される。レンズプロテクタ２３は、治具２５によって案内されて、ガイド部２２に装着される。接着剤２１は、図５に示すように、レンズホルダ１５Ａと、集光レンズ１６Ａのレンズ側凹所２０に臨む部分と、ガイド部２２の内周部と、レンズプロテクタ２３の内周部とが互いに接着するように塗布される。
【００４６】
本実施の形態の光ピックアップ装置１０Ａによれば、集光レンズ１６Ａの半径方向外周部１９Ａには、光記録媒体１８に臨んで開放するレンズ側凹所２０Ａが形成され、集光レンズ１６Ａのレンズ側凹所２０Ａに臨む部分とレンズホルダ１５Ａとが接着剤２１によって接着されるので、図１２および図１３に示すような従来技術におけるレンズ側凹所２０Ａが形成されない場合に比べて、集光レンズ１６Ａと接着剤２１との接触面積を大きくすることができる。これによって集光レンズ１６Ａをレンズホルダ１５Ａに安定して支持させることができる。このため接着剤２１の経年変化および温度変化に対する接着強度も増加させることが可能である。
【００４７】
また本実施の形態の光ピックアップ装置１０Ａによれば、集光レンズ１６Ａのレンズ側凹所２０Ａは３個以上形成され、周方向に等間隔をあけて配置されるので、集光レンズ１６Ａがレンズホルダ１５Ａに接着されている状態では、集光レンズ１６Ａに発生する半径方向の応力を、全周にわたって均等に分布させることができる。これによって図１２に示す従来技術のように、集光レンズ１６Ａの形状が歪むことを可及的に防止することができる。
【００４８】
また本実施の形態の光ピックアップ装置１０Ａによれば、レンズ側凹所２０Ａのいずれか１つのレンズ側凹所２０ａは、他のレンズ側凹所２０Ａとは異なる形状に形成されるので、集光レンズ１６Ａをレンズホルダ１５Ａに接着するときに、この異なる形状に形成されるレンズ側凹所２０ａを目印にして容易に位置決めすることができる。
【００４９】
また本実施の形態の光ピックアップ装置１０Ａによれば、レンズプロテクタ２３をレンズホルダ１５Ａに装着するときには、レンズホルダ１５Ａのレンズ側凹所２０Ａに臨む部分に光記録媒体１８に向かう方向に突出するように治具２５を装着し、治具２５によってレンズプロテクタ２３を案内して、集光レンズ１６Ａの光記録媒体１８に臨む表面２４よりも光記録媒体１８側に配置する。このようにレンズプロテクタ２３をレンズホルダ１５Ａに容易に装着することができる。またこのようなレンズプロテクタ２３によって、集光レンズ１６Ａが光記録媒体１８に当接することを防止することができる。
【００５０】
また本実施の形態の光ピックアップ装置１０Ａによれば、レンズホルダ１５Ａには、集光レンズ１６Ａを半径方向外方側から全周にわたって包囲するガイド部２２が設けられるので、図１４に示す従来技術のように、ガイド部４が半径方向一方向にだけ設けられる場合に比べて、レンズホルダ１５Ａに対する集光レンズ１６Ａの位置決めを可及的に確実に行うことができる。詳細には、図４に示すように、集光レンズ１６Ａの半径方向一方向であるｘ方向のガタの量をＡｘ、集光レンズ１Ａの軸線と前記ｘ方向とに垂直な方向であるｙ方向のガタの量をＡｙとすると、ｘ方向のガタの量Ａｘとｙ方向のガタの量Ａｙとは、ほぼ等しくなる。これによって集光レンズ１６Ａの軸線Ｌ１６Ａの位置が、図１４に示す従来技術に比べて、所望の位置からのずれ量を小さくすることができる。
【００５１】
また本実施の形態の光ピックアップ装置１０Ａによれば、レンズプロテクタ２３は、円環状に形成され、ガイド部２２に装着されるので、集光レンズ１６Ａが光記録媒体１８に当接することを確実に防止することができる。
【００５２】
レンズプロテクタ２３をガイド部２２に装着することに関して、たとえばガイド部２２の複数箇所に嵌合凸部を設け、レンズプロテクタ２３にガイド部２２の嵌合凸部に対応する位置に、嵌合凸部が嵌合可能な嵌合凹所を設けて、ガイド部２２の嵌合凸部とレンズプロテクタ２３の嵌合凹所とを嵌合して装着するようにしてもよい。この場合でも、治具２５を利用することによって、装着作業が容易になることは言う間でも無い。
【００５３】
また前述の他のレンズ側凹所２０Ａとは異なる形状に形成されるレンズ側凹所２０ａは、集光レンズ１６Ａを製造するときに、合成樹脂を金型に流し込んだ部分であるゲートが切断されることによって形成されるようにしてもよい。また集光レンズ１６Ａがレンズホルダ１５Ａに支持される状態で、集光レンズ１６Ａの収差の影響が最小になるようなゲート位置に対して、ゲートと集光レンズ１６Ａの軸線Ｌ１６Ａを通る仮想平面に関して対称となるように、レンズ側凹所２０Ａを形成するようにしてもよい。
【００５４】
図６は、本発明の第３の実施形態の光ピックアップ装置１０Ｂのレンズホルダ１５Ｂおよび集光レンズ１６Ｂの一部を拡大して示す断面図である。図１も併せて参照する。本実施の形態の光ピックアップ装置１０Ｂは、前述の第１の実施形態の光ピックアップ装置１０と大略的に同様の構成であるので、異なる構成について以下に説明する。
【００５５】
集光レンズ１６Ｂの光記録媒体１８に臨む半径方向外周部１９Ｂには、レンズホルダ１５Ｂに臨んで開放するレンズ側凹所２０Ｂが形成され、レンズホルダ１５Ｂには、レンズ側凹所２０Ｂに臨んで開放するホルダ側凹所２６が形成される。集光レンズ１６Ｂのレンズ側凹所２０Ｂおよびレンズホルダ１５Ｂのホルダ側凹所２６は３個以上形成され、周方向に等間隔をあけて配置される。集光レンズ１５Ｂのレンズ側凹所２０Ｂに臨む部分と、レンズホルダ１５Ｂのホルダ側凹所２６に臨む部分とが接着剤２１によって接着される。集光レンズ１６Ｂの半径方向外周部１９には、光記録媒体１８側からレンズ側凹所２０Ｂに臨み、接着剤２１が集光レンズ１６Ｂの光記録媒体１８に臨む表面２４Ｂよりも光記録媒体１８側に配置されることを規制する規制部２７が設けられる。
【００５６】
レンズ側凹所２０Ｂは、詳細に述べると、レンズホルダ１５に臨んで開放するとともに、半径方向外方に開放するように形成される。レンズ側凹所２０Ｂは、さらに詳細に述べると、半径方向内方に没入し、集光レンズ１６Ｂのレンズ側凹所２０Ｂに半径方向内方から臨む表面が、集光レンズ１６Ｂの軸線に平行な軸線を有する略円筒内周面状に形成される。集光レンズ１６Ｂのレンズ側凹所２０Ｂに臨む表面が前述のように滑らかに形成されるので、この箇所における応力集中による集光レンズ１６Ｂの破損を可及的に防止することができる。またレンズ側凹所２０Ｂとホルダ側凹所２６とは連通している。レンズホルダ１５Ｂと集光レンズ１６Ｂとを接着するときには、レンズ側凹所２０Ｂの半径方向外方側から接着剤２１をレンズ側凹所２０Ｂおよびホルダ側凹所２６に充填させることによって容易に接着することができる。
【００５７】
集光レンズ１６Ｂには、接着剤２１が集光レンズ１６Ｂの半径方向内方に向かって流動することを規制するレンズ側規制部２８が設けられる。レンズ側規制部２８は、詳細に述べると、集光レンズ１６Ｂの半径方向内方部であって光が透過する有効部の周縁部に全周にわたって延び、半径方向外方に突出するようにして設けられる。またレンズホルダ１５Ｂの集光レンズ１６Ｂの光記録媒体１８に臨む表面２４Ｂよりも光記録媒体１８側であって、集光レンズ１６Ｂの半径方向外方には、レンズプロテクタ２３Ｂが装着されて設けられる。
【００５８】
本実施の形態の光ピックアップ１０Ｂによれば、集光レンズ１６Ｂの光記録媒体１８に臨む半径方向外周部１９には、レンズホルダ１５Ｂに臨んで開放するレンズ側凹所２０Ｂが形成され、レンズホルダ１５Ｂには、レンズ側凹所２０Ｂに臨んで開放するホルダ側凹所２６が形成され、集光レンズ１６Ｂのレンズ側凹所２０Ｂに臨む部分とレンズホルダ１５のホルダ側凹所２６に臨む部分とが接着剤２１によって接着されるので、レンズ側凹所２０Ｂおよびホルダ側凹所２６が形成されない場合に比べて、レンズホルダ１５Ｂと集光レンズ１６Ｂと接着剤２１との接触面積を大きくすることができる。これによって集光レンズ１６Ｂをレンズホルダ１５Ｂに安定して支持させることができる。
【００５９】
また本実施の形態の光ピックアップ１０Ｂによれば、集光レンズ１６Ｂには、接着剤２１が集光レンズ１６Ｂの光記録媒体１８に臨む表面よりも光記録媒体１８側に配置されることを規制する規制部２７が設けられるので、接着剤２１が集光レンズ１６Ｂの光記録媒体１８に臨む表面２４Ｂよりも光記録媒体１８側に盛り上がることを防止することができる。これによって接着剤２１が集光レンズ１６Ｂの光記録媒体１８に臨む表面２４Ｂよりも光記録媒体１８側に盛り上がって、接着剤２１が光記録媒体１８に接触することを確実に防止することができる。
【００６０】
また本実施の形態の光ピックアップ１０Ｂによれば、集光レンズ１６Ｂのレンズ側凹所２０Ｂおよびレンズホルダ１５Ｂのホルダ側凹所２６は３個以上形成され、周方向に等間隔をあけて配置されるので、集光レンズ１６Ｂがレンズホルダ１５Ｂに接着されている状態では、集光レンズ１６Ｂに発生する半径方向の応力を、全周にわたって均等に分布させることができる。これによって集光レンズ１６Ｂの形状が歪むことを可及的に防止することができる。
【００６１】
また本実施の形態の光ピックアップ１０Ｂによれば、レンズプロテクタ２３Ｂは、円環状に形成されているので、集光レンズ１６Ｂが光記録媒体１８に当接することを可及的に確実に防止することができる。
【００６２】
また本実施の形態の光ピックアップ１０Ｂによれば、集光レンズ１６Ｂには、接着剤２１が集光レンズ１６Ｂの半径方向内方に向かって流動することを規制するレンズ側規制部２８が設けられるので、集光レンズ１６Ｂの半径方向内方の光が透過する部分に接着剤２１が流動して、光が透過できなくなることを可及的に防止することができる。
【００６３】
図７は、本発明の第４の実施形態の光ピックアップ装置１０Ｃのレンズホルダ１５Ｃおよび集光レンズ１６Ｃを拡大して示す平面図である。図８は、図７の切断面線Ｓ８−Ｓ８から見た断面図である。図１も併せて参照する。本実施の形態の光ピックアップ装置１０Ｃは、前述の第１の実施形態の光ピックアップ装置１０と大略的に同様の構成であるので、異なる構成について以下に説明する。
【００６４】
集光レンズ１６Ｃの半径方向外周部１９Ｃには、光記録媒体１８に臨んで開口するとともにレンズホルダ１５Ｃに臨んで開口する貫通孔２９が、３個以上、本実施の形態において４個、周方向に等間隔をあけて形成される。貫通孔２９は、レンズホルダ１５Ｃに臨む部分が残余の部分よりも拡径している。集光レンズ１６Ｃの貫通孔２９が形成される貫通孔形成部とレンズホルダ１５Ｃの前記貫通孔２９に臨む部分とが、接着剤２１によって接着される。このとき接着剤２１は、集光レンズ１６Ｃの光記録媒体１８に臨む表面２４Ｃよりもレンズホルダ１５Ｃ側に配置されるようにする。これによって接着剤２１が集光レンズ１６Ｃの光記録媒体１８に臨む表面２４Ｃよりも光記録媒体１８側に盛り上がって、接着剤２１が光記録媒体１８に接触することを防止することができる。
【００６５】
本実施の形態の光ピックアップ装置１０Ｃによれば、集光レンズ１６Ｃの半径方向外周部１９Ｃには、光記録媒体１８に臨んで開口するとともにレンズホルダ１５Ｃに臨んで開口する貫通孔２９が形成され、集光レンズ１６Ｃの貫通孔２９が形成される貫通孔形成部とレンズホルダ１５Ｃとが接着剤２１によって接着されるので、図１２および図１３に示す従来技術のような貫通孔２９が形成されない場合に比べて、集光レンズ１６Ｃと接着剤２１との接触面積を大きくすることができる。これによって集光レンズ１６Ｃをレンズホルダ１５Ｃに安定して支持させることができる。
【００６６】
また本実施の形態の光ピックアップ装置１０Ｃによれば、貫通孔２９が、３個以上、周方向に等間隔をあけて形成されるので、集光レンズ１６Ｃがレンズホルダ１５Ｃに接着されている状態では、集光レンズ１６Ｃに発生する半径方向の応力を、全周にわたって均等に分布させることができる。これによって図１２に示す従来技術のように、集光レンズ１６Ｃの形状が歪むことを可及的に防止することができる。
【００６７】
また本実施の形態の光ピックアップ装置１０Ｃによれば、貫通孔２９は、レンズホルダ１５Ｃに臨む部分が残余の部分よりも拡径しているので、レンズホルダ１５Ｃと貫通孔形成部との接着面積を大きくすることができる。これによって集光レンズ１６Ｃをレンズホルダ１５Ｃにさらに安定して支持させることができる。
【００６８】
図９は、第１〜第４の実施形態の光ピックアップ装置１０，１０Ａ，１０Ｂ，１０Ｃのコリメートレンズ１３を示す断面図である。図１０（１）は、コリメートレンズ１３の一実施例を示す側面図であり、図１０（２）は、コリメートレンズ１３の一実施例を示す正面図である。コリメートレンズ１３は、図９に示すように、ハウジング３０に接着されて支持される。コリメートレンズ１３の外周部の軸線Ｌ１３方向中央部には、図１０に示すように、半径方向内方に陥没し、半径方向外方に開放する凹所３１が複数個、本実施の形態において８個、周方向に等間隔をあけて形成される。コリメートレンズ１３の凹所３１に臨む部分とハウジング３０とが、前記凹所３１に充填される接着剤３２によって接着される。
【００６９】
このようにコリメートレンズ１３の凹所３１が、複数、望ましくは３個以上、周方向に等間隔をあけて形成されるので、コリメートレンズ１３がハウジング３０に接着されている状態では、コリメートレンズ１３に発生する半径方向の応力を、全周にわたって均等に分布させることができる。これによってコリメートレンズ１３の形状が歪むことを可及的に防止することができる。
【００７０】
図１１（１）は、コリメートレンズ１３の他の実施例を示す側面図であり、図１１（２）は、コリメートレンズ１３の他の実施例を示す正面図である。コリメートレンズ１３は、図９に示すように、ハウジング３０に接着されて支持される。コリメートレンズ１３の外周部の軸線Ｌ１３方向中央部には、図１１に示すように、周方向に延びて半径方向内方に陥没し、半径方向外方に開放する凹所３１Ａが形成される。コリメートレンズ１３の凹所３１Ａに臨む部分とハウジング３０とが、前記凹所３１Ａに充填される接着剤３２によって接着される。
【００７１】
このようにコリメートレンズ１３の凹所３１Ａが周方向に延びて形成されるので、コリメートレンズ１３がハウジング３０に接着されている状態では、コリメートレンズ１３に発生する半径方向の応力を、全周にわたって均等に分布させることができる。これによってコリメートレンズ１３の形状が歪むことを可及的に防止することができる。
【００７２】
前述の第１〜第４の実施形態の光ピックアップ装置１０，１０Ａ，１０Ｂ，１０Ｃでは、光ピックアップ装置が小形で薄形であっても、各種光学部品の接着強度を安定させることが可能となり、その結果として経年変化および温度変化などによる光学部品の配置位置のずれを抑えることが可能となる。これによって光ピックアップ装置の高性能化および高寿命化に大きく寄与することができる。
【００７３】
前述の第１〜第４の実施形態の光ピックアップ装置１０，１０Ａ，１０Ｂ，１０Ｃにおいて、レンズ側凹所２０，２０Ａ，２０Ｂ、ホルダ側凹所２６および貫通孔２９の形状は、適宜変更してもよい。
【００７４】
【発明の効果】
以上のように本発明によれば、集光レンズの半径方向外周部には、照射対象に臨んで開放するレンズ側凹所が形成され、集光レンズのレンズ側凹所に臨む部分とレンズホルダとが接着剤によって接着されるので、レンズ側凹所が形成されない場合に比べて、集光レンズと接着剤との接触面積を大きくすることができる。これによって集光レンズをレンズホルダに安定して支持させることができる。
【００７５】
また本発明によれば、集光レンズの照射対象に臨む半径方向外周部には、レンズホルダに臨んで開放するレンズ側凹所が形成され、レンズホルダには、レンズ側凹所に臨んで開放するホルダ側凹所が形成され、集光レンズのレンズ側凹所に臨む部分とレンズホルダのホルダ側凹所に臨む部分とが接着剤によって接着されるので、レンズ側凹所およびホルダ側凹所が形成されない場合に比べて、集光レンズと接着剤との接触面積を大きくすることができる。これによって集光レンズをレンズホルダに安定して支持させることができる。
【００７６】
また本発明によれば、集光レンズには、接着剤が集光レンズの照射対象に臨む表面よりも照射対象側に配置されることを規制する規制部が設けられるので、接着剤が集光レンズの照射対象に臨む表面よりも照射対象側に盛り上がることを防止することができる。これによって接着剤が集光レンズの照射対象に臨む表面よりも照射対象側に盛り上がって、接着剤が照射対象に接触することを確実に防止することができる。
【００７７】
また本発明によれば、集光レンズのレンズ側凹所は３個以上形成され、周方向に等間隔をあけて配置されるので、集光レンズがレンズホルダに接着されている状態では、集光レンズに発生する半径方向の応力を、全周にわたって均等に分布させることができる。これによって集光レンズの形状が歪むことを可及的に防止することができる。
【００７８】
また本発明によれば、レンズ側凹所のいずれか１つは、他のレンズ側凹所とは異なる形状に形成されるので、集光レンズをレンズホルダに接着するときに、この異なる形状に形成されるレンズ側凹所を目印にして容易に位置決めすることができる。
【００７９】
また本発明によれば、レンズ保護部材をレンズホルダに装着するときには、レンズホルダのレンズ側凹所に臨む部分に照射対象に向かう方向に突出するように案内部材を装着し、前記案内部材によってレンズ保護部材を案内して、集光レンズの照射対象に臨む表面よりも照射対象側に配置する。このようにレンズ保護部材をレンズホルダに容易に装着することができる。またこのようなレンズ保護部材によって、集光レンズが照射対象に当接することを防止することができる。
【００８０】
また本発明によれば、集光レンズの半径方向外周部には、照射対象に臨んで開口するとともにレンズホルダに臨んで開口する貫通孔が形成され、集光レンズの貫通孔が形成される貫通孔形成部とレンズホルダとが接着剤によって接着されるので、貫通孔が形成されない場合に比べて、集光レンズと接着剤との接触面積を大きくすることができる。これによって集光レンズをレンズホルダに安定して支持させることができる。
【００８１】
また本発明によれば、前記貫通孔は、レンズホルダに臨む部分が残余の部分よりも拡径しているので、レンズホルダと貫通孔形成部との接着面積を大きくすることができる。これによって集光レンズをレンズホルダにさらに安定して支持させることができる。
【００８２】
また本発明によれば、レンズホルダには、集光レンズを半径方向外方側から全周にわたって包囲するガイド部が設けられるので、ガイド部が半径方向一方向にだけ設けられる場合に比べて、レンズホルダに対する集光レンズの位置決めを可及的に確実に行うことができる。
【００８３】
また本発明によれば、レンズ保護部材は、円環状に形成され、ガイド部に装着されるので、集光レンズが照射対象に当接することを可及的に確実に防止することができる。
【００８４】
また本発明によれば、集光レンズには、接着剤が集光レンズの半径方向内方に向かって流動することを規制するレンズ側規制部が設けられるので、集光レンズの半径方向内方の光が透過する部分に接着剤が流動して、光が透過できなくなることを可及的に防止することができる。
【００８５】
また本発明によれば、電子機器は、前述の効果を達成する光ピックアップ装置を搭載することができる。
【図面の簡単な説明】
【図１】本発明の第１の実施形態の光ピックアップ装置１０を模式的に示す断面図である。
【図２】レンズホルダ１５および集光レンズ１６を拡大して示す平面図である。
【図３】図２の切断面線Ｓ３−Ｓ３から見た断面図である。
【図４】本発明の第２の実施形態の光ピックアップ装置１０Ａのレンズホルダ１５Ａおよび集光レンズ１６Ａを拡大して示す平面図である。
【図５】図４の切断面線Ｓ５−Ｓ５から見た断面図である。
【図６】本発明の第３の実施形態の光ピックアップ装置１０Ｂのレンズホルダ１５Ｂおよび集光レンズ１６Ｂの一部を拡大して示す断面図である。
【図７】本発明の第４の実施形態の光ピックアップ装置１０Ｃのレンズホルダ１５Ｃおよび集光レンズ１６Ｃを拡大して示す平面図である。
【図８】図７の切断面線Ｓ８−Ｓ８から見た断面図である。
【図９】第１〜第４の実施形態の光ピックアップ装置１０，１０Ａ，１０Ｂ，１０Ｃのコリメートレンズ１３を示す断面図である。
【図１０】（１）は、コリメートレンズ１３の一実施例を示す側面図であり、（２）は、コリメートレンズ１３の一実施例を示す正面図である。
【図１１】（１）は、コリメートレンズ１３の他の実施例を示す側面図であり、（２）は、コリメートレンズ１３の他の実施例を示す正面図である。
【図１２】従来技術である光ピックアップ装置に搭載される集光レンズ１およびレンズホルダ２を示す平面図である。
【図１３】図１２の切断面線Ｓ１３−Ｓ１３から見た断面図である。
【図１４】他の従来技術である光ピックアップ装置に搭載されるレンズ１Ａおよびレンズホルダ２Ａを示す平面図である。
【符号の説明】
１０，１０Ａ，１０Ｂ，１０Ｃ  光ピックアップ装置
１１  受発光部
１５，１５Ａ，１５Ｂ，１５Ｃ  レンズホルダ
１６，１６Ａ，１６Ｂ，１６Ｃ  集光レンズ
１８  光記録媒体
１９，１９Ａ，１９Ｂ，１９Ｃ  半径方向外周部
２０，２０Ａ，２０Ｂ  レンズ側凹所
２１  接着剤
２２  ガイド部
２３，２３Ｂ  レンズプロテクタ
２５  治具
２６  ホルダ側凹所
２７  規制部
２８  レンズ側規制部
２９  貫通孔
【図１】
2004342215.tif 000003
【図２】
2004342215.tif 000004
【図３】
2004342215.tif 000005
【図４】
2004342215.tif 000006
【図５】
2004342215.tif 000007
【図６】
2004342215.tif 000008
【図７】
2004342215.tif 000009
【図８】
2004342215.tif 000010
【図９】
2004342215.tif 000011
【図１０】
2004342215.tif 000012
【図１１】
2004342215.tif 000013
【図１２】
2004342215.tif 000014
【図１３】
2004342215.tif 000015
【図１４】
2004342215.tif 000016